(57)【要約】      （修正有）【課題】放射線治療実行前に放射線診療技師等に対して正確な治療時間を提示すること。【解決手段】放射線治療システムは、治療対象の患者に関する治療計画データを生成する治療計画部１０と、治療用放射線を照射する照射部を回転可能に支持する治療用架台３０と、前記治療用架台の回転速度と、前記治療計画データに含まれる複数の照射門の照射角度とに基づいて、前記複数の照射門間の移動に要する前記治療用架台の回転予測時間を算出する算出部５０と、前記治療用架台の回転予測時間を表示する表示部６０と、を具備する。【選択図】図１
2019004923.tif 000002
【特許請求の範囲】
【請求項１】
治療対象の患者に関する治療計画データを生成する治療計画部と、
治療用放射線を照射する照射部を回転可能に支持する治療用架台と、
前記治療用架台の回転速度と、前記治療計画データに含まれる複数の照射門の照射角度とに基づいて、前記複数の照射門間の移動に要する前記治療用架台の回転予測時間を算出する算出部と、
前記治療用架台の回転予測時間を表示する表示部と、
を具備する放射線治療システム。
【請求項２】
前記算出部は、前記複数の照射門の照射角度に基づいて前記複数の照射門間の移動順序及び移動方向を含む複数の移動パターンを決定し、前記複数の移動パターン各々について前記治療用架台の回転予測時間を算出する、請求項１記載の放射線治療システム。
【請求項３】
選択部を更に備え、
前記表示部は、前記複数の移動パターンについての前記回転予測時間を表示し、
前記選択部は、前記複数の移動パターンのうちの前記治療対象の患者に対する放射線治療に採用する移動パターンを、ユーザによる入力機器を介した指示に従い選択する、
請求項２記載の放射線治療システム。
【請求項４】
前記複数の移動パターン各々について干渉チェックを行う干渉チェック部を更に備え、
前記表示部は、前記複数の移動パターン各々について前記干渉チェックの結果を表示する、
請求項２記載の放射線治療システム。
【請求項５】
前記算出部は、前記複数の照射門間の移動毎に前記治療用架台の前記回転予測時間を算出する、請求項１記載の放射線治療システム。
【請求項６】
前記算出部は、前記治療用架台による前記複数の照射門間の移動と前記照射部による放射線の照射と人的作業との各々の作業項目について作業予測時間を算出し、前記算出された各作業項目の作業予測時間の合計時間として前記治療対象の患者に関する治療予測時間を算出し、
前記表示部は、前記治療予測時間を表示する、
請求項１記載の放射線治療システム。
【請求項７】
前記表示部は、前記作業項目毎に、作業開始時刻からの経過時間を数字又はインジケータで表示する、請求項６記載の放射線治療システム。
【請求項８】
前記表示部は、前記作業項目を、完了済みの項目と未完了の項目とで視覚的に区別して表示する、請求項６記載の放射線治療システム。
【請求項９】
前記表示部は、前記作業項目毎に、前記治療予測時間と作業実測時間とを並べて表示する、請求項６記載の放射線治療システム。
【請求項１０】
前記算出部は、前記治療用架台に関する時間当たりの照射可能線量と、治療部位に対する照射予定線量とに基づいて治療用放射線の照射予測時間を算出し、
前記表示部は、前記照射予測時間を更に表示する、
請求項１記載の放射線治療システム。
【請求項１１】
前記治療用架台と一体又は別体の、撮像用放射線を照射する照射部を回転可能に支持する撮像用架台を更に備え、
前記算出部は、前記撮像用架台の回転速度と、前記治療計画データに含まれる複数の撮影方向の撮影角度とに基づいて、前記複数の撮影方向間の移動に要する前記撮像用架台の回転予測時間を算出し、
前記表示部は、前記撮像用架台の回転予測時間を更に表示する、
請求項１記載の放射線治療システム。
【請求項１２】
治療対象の患者に関する治療計画データと、放射線源を回転可能に支持する治療用架台の回転速度とを記憶する記憶部と、
前記治療用架台の回転速度と、前記治療計画データに含まれる複数の照射門の放射線照射順序及び照射角度とに基づいて、前記複数の照射門間の移動に要する前記治療用架台の回転予測時間を算出する算出部と、
前記治療用架台の回転予測時間を表示する表示部と、
を具備する治療時間管理装置。
【発明の詳細な説明】
【技術分野】
【０００１】
本発明の実施形態は、放射線治療システム及び治療時間管理装置に関する。
【背景技術】
【０００２】
放射線治療において、対向４門照射等の複数の照射角度から放射線を照射する場合がある。この場合、放射線診療技師等が経験的に決定した照射順序、あるいは、治療計画装置から取り込んだ照射順序そのもので放射線照射が行われている。ある照射角度へ照射ヘッド部を回転させる場合、架台の機械的制限により、最短経路ではなく機械的原点角度を迂回しなければならないことがある。このような場合、放射線診療技師等が予測していたよりも多くの時間が架台回転に費やされることとなる。このような要因もあって、放射線治療実行前に架台回転時間を含む治療時間を予測することは困難である。
【先行技術文献】
【特許文献】
【０００３】
【特許文献１】特開２００８−１７８５６９号公報
【特許文献２】特開２０１１−１９４０６６号公報
【発明の概要】
【発明が解決しようとする課題】
【０００４】
発明が解決しようとする課題は、放射線治療実行前に放射線診療技師等に対して正確な治療時間を提示することにある。
【課題を解決するための手段】
【０００５】
本実施形態に係る放射線治療システムは、治療対象の患者に関する治療計画データを生成する治療計画部と、治療用放射線を照射する照射部を回転可能に支持する治療用架台と、前記治療用架台の回転速度と、前記治療計画データに含まれる複数の照射門の照射角度とに基づいて、前記複数の照射門間の移動に要する前記治療用架台の回転予測時間を算出する算出部と、前記治療用架台の回転予測時間を表示する表示部と、を具備する。
【図面の簡単な説明】
【０００６】
【図１】図１は、本実施形態に係る放射線治療システムの構成を示す図である。
【図２】図２は、図１の放射線治療装置及び画像撮影装置の外観を示す図である。
【図３】図３は、図１の干渉シミュレータが有する回転速度テーブルの一例を示す図である。
【図４】図４は、図１の治療時間管理装置が有する作業時間テーブルの一例を示す図である。
【図５】図５は、本実施形態に係る放射線治療システムの典型的な処理の流れを示す図である。
【図６】図６は、図５のステップＳ２において行われる回転予測時間の算出の一例を示す図である。
【図７】図７は、図５のステップＳ２において行われる回転予測時間の算出の他の例を示す図である。
【図８】図８は、図５のステップＳ２において行われる、架台の可動範囲の機械的制限を加味した回転予測時間の算出の一例を示す図である。
【図９】図９は、図５のステップＳ４において表示される治療予測時間と干渉チェック結果との表示画面の一例を示す図である。
【図１０】図１０は、図５のステップＳ７において表示される経過時間と完了ステータスとの表示画面の一例を示す図である。
【図１１】図１１は、図５のステップＳ７において表示される、治療予測時間と実測治療時間とを並列して表示する表示画面の一例を示す図である。
【図１２】図１２は、本実施形態に係る、移動フローを並列して表示する表示画面の一例を示す図である。
【図１３】図１３は、本実施形態に係る、移動フローを並列して表示する他の表示画面の一例を示す図である。
【図１４】図１４は、本実施形態に係る、ブーストボタンと共に作業項目と治療予測時間と作業予測時間とを表示する表示画面を示す図である。
【図１５】図１５は、本実施形態に係る、架台回転速度を一段階上げた後の回転予測速度と治療予測時間とを表示する表示画面を示す図である。
【発明を実施するための形態】
【０００７】
以下、図面を参照しながら本実施形態に係わる放射線治療システム及び治療時間管理装置を説明する。
【０００８】
図１は、本実施形態に係る放射線治療システムの構成を示す図である。図１に示すように、本実施形態に係る放射線治療システムは、治療計画装置１０、放射線治療情報管理システム（OIS: Oncology Information System）２０、放射線治療装置３０、画像撮影装置４０、治療時間管理装置５０、表示機器６０、入力機器７０及び干渉シミュレータ８０を有する。
【０００９】
治療計画装置１０は、Ｘ線シミュレータやＣＴシミュレータ等の画像撮影装置により生成された医用画像を利用して治療対象の患者の治療計画を作成するコンピュータである。治療計画装置１０は、ＣＰＵ（Central Processing Unit）、ＧＰＵ（Graphics Processing Unit）等のプロセッサとＲＯＭ（Read Only Memory）やＲＡＭ（Random Access Memory）等のメモリとを有する。当該プロセッサは、当該メモリに記憶された治療計画プログラムを実行することにより治療計画データを生成する。治療計画としては、具体的には、放射線治療装置３０による照射門（Field）の照射角度、照射順序、画像撮影装置４０による撮影角度、撮影順序、照射部位、線量分布等が挙げられる。治療計画データは、放射線治療情報管理システム２０に送信される。また、治療計画装置１０は、汎用のコンピュータ又はワークステーションが備える入力機器、ディスプレイ、通信機器及び記憶装置を備える。
【００１０】
放射線治療情報管理システム２０は、治療計画装置１０、放射線治療装置３０、画像撮影装置４０及び治療時間管理装置５０等と連携して放射線治療に関する情報を管理するコンピュータシステムである。例えば、放射線治療情報管理システム２０は、治療計画データベース２１を有している。治療計画データベース２１は、治療計画装置１０により生成された治療計画データを患者情報等に関連付けて記憶する。治療計画データベース２１は、治療時間管理装置５０からの要求に応じて治療計画データを治療時間管理装置５０に送信する。また、放射線治療情報管理システム２０は、汎用のコンピュータ又はワークステーションが備える入力機器、ディスプレイ、通信機器及び記憶装置を備える。
【００１１】
放射線治療装置３０は、放射線治療を目的とした装置であり、治療計画に従い患者に放射線を照射して患者を治療する。画像撮影装置４０は、放射線治療時等において患者を対象とする医用撮像を実行して患者の体内に関する医用画像を生成する。本実施形態に係る放射線治療装置３０と画像撮影装置４０とは独立型にも一体型にも適用可能であるが、以下の説明の簡単のため一体型であるとする。
【００１２】
図２は、図１の一体型の放射線治療装置３０及び画像撮影装置４０の外観を示す図である。図２に示すように、放射線治療装置３０は、架台３１と寝台３２とを有する。架台３１は、回転軸Ｚ回りに回転可能に照射ヘッド部３１２と画像撮影装置４０とを支持する架台本体３１１を有する。照射ヘッド部３１２は、治療計画データに従い放射線を照射する。具体的には、照射ヘッド部３１２は、多分割絞り（マルチリーフコリメータ）により照射野を形成し、当該照射野により正常組織への照射を抑える。治療部位に放射線が照射されることにより当該治療部位が消滅又は縮小する。画像撮影装置４０は、回転軸Ｚを挟んで対向配置されたＸ線管４１とＸ線検出器４２とを有する。Ｘ線管４１は、撮像用の放射線であるＸ線を照射する。Ｘ線検出器４２は、Ｘ線管４１から照射された患者を透過したＸ線を検出し、患者に関するＸ線画像データを生成する。生成されたＸ線画像データは、放射線治療情報管理システム２０に送信される。放射線治療情報管理システム２０は、Ｘ線画像データを表示したり、複数の撮影角度に関するＸ線画像データに基づいて３次元画像データを生成し、当該３次元画像データに任意のレンダリング処理を施して表示しても良い。図２に示すように、寝台３２は、基台３３１と天板３２２とを有する。基台３３１は、天板３２２を移動自在に支持する。天板３２２には患者が載置される。
【００１３】
干渉シミュレータ８０は、放射線治療装置３０の各機構、画像撮影装置４０の各機構、患者及び他の付随装置間の干渉の有無を判定するための干渉チェックを実行する。干渉シミュレータ８０は、例えば、汎用のコンピュータ又はワークステーションである。例えば、干渉シミュレータ８０は、治療室に隣接する管理室等に設置される。干渉シミュレータ８０は、汎用のコンピュータ又はワークステーションが備える入力機器、ディスプレイ、通信機器及び記憶装置を備える。当該記憶装置は、ＨＤＤやＳＳＤ、集積回路記憶装置等の記憶装置である。また、干渉シミュレータ８０は、ＣＰＵ、ＧＰＵ等のプロセッサとＲＯＭやＲＡＭ等のメモリとを有する。当該プロセッサは、当該メモリに記憶された干渉チェックプログラムを実行することにより干渉チェックを行う。具体的には、干渉シミュレータ８０は、放射線治療装置３０の各機構、画像撮影装置４０の各機構、患者及び他の付随装置の間の物理的距離を計算し、当該物理的距離から干渉を予測し、干渉チェックの結果を表示する。干渉チェックは、放射線治療装置３０、画像撮影装置４０及び付随装置等の機構の構造及び当該機構の可動範囲に関する情報（以下、機構情報と呼ぶ）と、患者の体型情報とに基づいて実行される。機構情報は、放射線治療装置３０、画像撮影装置４０及び付随装置に関する機構設計データ（ＣＡＤ：Computer-Aided Design）から取得可能である。なお、本実施形態に係る付随装置としては、放射線治療装置３０及び画像撮影装置４０とは別体のＸ線コンピュータ断層撮影装置やＸ線アンギオ装置、超音波診断装置、ＰＥＴ（positron emission tomography）装置、ＳＰＥＣＴ（single photon emission CT）装置、磁気共鳴イメージング装置等の如何なる画像撮影装置や、患者呼吸監視システム、患者体表監視システム等が挙げられる。
【００１４】
また、干渉シミュレータ８０は、図１に示すように、後述の回転予測時間の算出のため回転速度テーブル８１を有する。回転速度テーブル８１は、架台の回転速度［°／ｓｅｃ］と、当該架台の識別情報とを関連付けて記憶する。
【００１５】
図３は、干渉シミュレータ８０が有する回転速度テーブル８１の一例を示す図である。図３に示すように、回転速度テーブルは、放射線治療システムが管理する放射線治療装置３０や画像撮影装置４０等の装置と、当該装置の架台の回転速度［°／ｓｅｃ］とを関連付けている。例えば、放射線治療装置Ａの回転速度は５°／ｓｅｃであり、画像撮影装置であるコーンビームＣＴ装置Ｃの回転速度は３０°／ｓｅｃである。回転速度に関する情報は、治療時間管理装置５０に供給される。
【００１６】
治療時間管理装置５０は、治療対象の患者に関する治療時間を計算及び表示等の管理を行うコンピュータである。治療時間管理装置５０は、例えば、治療室に隣接する管理室等に設置される。治療時間管理装置５０は、汎用のコンピュータ又はワークステーションが備える通信機器及び記憶装置を備える。当該記憶装置は、ＨＤＤやＳＳＤ、集積回路記憶装置等の記憶装置である。治療時間管理装置５０は、ＣＰＵ、ＧＰＵ等のプロセッサとＲＯＭやＲＡＭ等のメモリとを有する。当該プロセッサは、当該メモリに記憶された治療時間管理プログラムを実行することにより、治療時間算出機能５１、実測時間計測機能５３、表示制御機能５４、選択機能５５及び治療スケジュール修正機能５６を有する。また、治療時間管理装置５０は、作業時間テーブル５２を有する。
【００１７】
治療時間算出機能５１において治療時間管理装置５０は、放射線治療に含まれる複数の作業項目各々の作業予測時間を算出又は決定し、これら作業項目の作業時間の合計時間を治療予測時間として算出する。作業項目としては、機械起因の作業項目と人起因の作業項目とに区分される。機械起因の作業項目としては、例えば、架台回転、放射線照射、画像撮影、寝台の移動等が挙げられる。例えば、治療時間管理装置５０は、干渉シミュレータ８０から供給される架台３１の回転速度と、放射線治療情報管理システム２０から供給される治療計画データに含まれる複数の照射門の照射角度とに基づいて、複数の照射門間の移動に要する架台３１の回転予測時間を算出する。
【００１８】
図４は、治療時間管理装置５０が有する作業時間テーブル５２の一例を示す図である。図４に示すように、作業時間テーブル５２は、人起因の作業項目と予測時間［ｓ］とを関連付けている。作業項目のうちの人起因の作業項目としては、患者の作業項目と、放射線診療技師及び医師の作業項目とに区分される。患者の作業項目としては、例えば、入室及び着替、退室及び着替等が挙げられる。放射線診療技師及び医師の作業項目としては、例えば、患者セットアップ、アクセサリ交換、位置確認等が挙げられる。予測時間としては、操作者が任意に決定した値が登録されても良いし、過去の実績時間が登録されても良い。例えば、患者の作業項目「入室・着替」の予測時間は６０ｓであり、医師及び放射線治療技師の作業項目「患者セットアップ」の予測時間は１２０ｓである。
【００１９】
実測時間計測機能５３において治療時間管理装置５０は、放射線治療における実際の作業時間を作業項目毎に計測する。計測された作業時間を実測時間と呼ぶことにする。
【００２０】
表示制御機能５４において治療時間管理装置５０は、治療時間算出機能５１により算出された治療予測時間と作業予測時間とを所定のレイアウトで表示機器６０に表示する。
【００２１】
選択機能５５において治療時間管理装置５０は、入力機器７０を介したユーザにより指定された表示項目を選択する。
【００２２】
治療スケジュール修正機能５６において治療時間管理装置５０は、治療時間算出機能５１により算出された治療予測時間に従い、放射線治療情報管理システム２０が設置された病院の治療スケジュールを修正する。
【００２３】
治療時間管理装置５０には表示機器６０と入力機器７０が接続される。表示機器６０は、治療時間管理装置５０の表示制御機能５４による制御を受けて治療予測時間や作業予測時間等の種々の情報を表示する。表示機器６０としては、例えば、ＣＲＴディスプレイや液晶ディスプレイ、有機ＥＬディスプレイ、ＬＥＤディスプレイ、プラズマディスプレイ、又は当技術分野で知られている他の任意のディスプレイが適宜利用可能である。表示機器６０は、治療室に隣接する管理室に設けられても良いし、治療室に設けられても良い。入力機器７０は、ユーザからの各種指令を受け付ける。入力機器７０としては、キーボードやマウス、各種スイッチ等が利用可能である。入力機器７０からの出力信号は、治療時間管理装置５０に供給される。
【００２４】
次に、本実施形態に係る放射線治療システムの動作例について説明する。
【００２５】
図５は、本実施形態に係る放射線治療システムの典型的な処理の流れを示す図である。なお、図５の処理の前段において治療計画装置１０は、治療対象の患者に関する治療計画データを生成し、放射線治療情報管理システム２０の治療計画データベース２１は、治療対象の患者に関する治療計画データを登録しているものとする。
【００２６】
図５に示すように、治療時間管理装置５０は、放射線治療情報管理システム２０の治療計画データベース２１に登録された、治療対象の患者に関する治療計画データを取得する（ステップＳ１）。治療対象の患者は、例えば、入力機器７０を介して放射線診療技師等のユーザにより任意に指定される。
【００２７】
ステップＳ１が行われると治療時間管理装置５０は、治療時間算出機能５１を実行する（ステップＳ２）。ステップＳ２において治療時間管理装置５０は、ステップＳ１において取得した治療計画データに基づいて、治療対象の患者に関する一回の放射線治療の治療予測時間を算出する。一回の放射線治療に関する治療予測時間とは、患者が治療室に入室して放射線治療を受けて退室するまでの予測時間を指すものとする。以下、治療予測時間の算出について詳細に説明する。
【００２８】
まず、治療予測時間のうちの、機械起因の作業項目のうちの放射線治療装置３０の架台回転に関する作業時間である回転予測時間の算出について説明する。治療時間管理装置５０は、ステップＳ１において取得した治療対象の患者に関する治療計画データから、使用する放射線治療装置の識別情報、複数の照射門の照射角度、複数の照射門の照射順序を抽出する。そして治療時間管理装置５０は、使用する放射線治療装置に対応する回転速度を回転速度テーブル８１から特定する。また、治療時間管理装置５０は、照射順序に従い照射門間の回転予測時間を、照射門間の移動量と回転速度とに基づいて算出する。移動量は、移動元の照射門から移動先の照射門の角度間隔に規定される。原則的には、治療時間管理装置５０は、移動量を算出する際、時計回りと反時計回りとの両方の移動量を算出し、短い方を移動量に選択する。
【００２９】
図６は、回転予測時間の算出の一例を示す図である。図６に示すように、１番目の照射門の照射角度が２２５°、２番目の照射門の照射角度が３１５°、３番目の照射門の照射角度が４５°、４番目の照射門の照射角度が１３５°である。この場合、各照射門間の角度範囲（移動量）は、９０°であるから、各照射門間の回転の予測時間は９０／５＝１８ｓｅｃである。従って１番目の照射門から４番目の照射門までの回転予測時間の合計時間は、１８・３＝５４ｓｅｃである。
【００３０】
図７は、回転予測時間の算出の他の例を示す図である。図７に示すように、１番目の照射門の照射角度が３１５°、２番目の照射門の照射角度が２２５°、３番目の照射門の照射角度が４５°、４番目の照射門の照射角度が１３５°である。この場合、１番目の照射門から２番目の照射門への角度範囲（移動量）は９０°であり、２番目の照射門から３番目の照射門への角度範囲（移動量）は１８０°であり、３番目の照射門から４番目の照射門への角度範囲（移動量）は９０°である。従って１番目の照射門から２番目の照射門への角度範囲（移動量）は９０°／５＝１８ｓｅｃであり、２番目の照射門から３番目の照射門への角度範囲（移動量）は１８０°／５＝３６ｓｅｃであり、３番目の照射門から４番目の照射門への角度範囲（移動量）は９０°である。従って１番目の照射門から４番目の照射門までの回転予測時間の合計時間は、１８＋３６＋１８＝７２ｓｅｃである。
【００３１】
なお、治療時間管理装置５０は、架台３１の可動範囲の機械的制限を加味して移動量及び回転予測時間を算出する。
【００３２】
図８は、架台３１の可動範囲の機械的制限を加味した回転予測時間の算出の一例を示す図である。機械的原点角度が０°に設計されている場合、架台３１は、０°を中心として±１８０°が可動範囲として設計される。この場合、架台３１は１８０°を跨いで回転することができない。例えば、図８に示すように、第１の照射門の照射角度が２２５°であり、第２の照射門の照射角度が１３５°である場合、照射ヘッド部３１２を第１の照射門から１８０°を経由して第２の照射門へ直接的に移動させることができない。この場合、照射ヘッド部３１２を第１の照射門から機械的原点角度０°を経由して第２の照射門へ移動させなければならない。
【００３３】
上記の通り、治療時間管理装置５０は、移動元の照射門から移動先の照射門への移動量を算出する際、時計回りと反時計回りとの両方の経路の移動量を算出する。次に治療時間管理装置５０は、短い方の経路が１８０°を経由するか否かを判定する。１８０°を経由しない場合、治療時間管理装置５０は、短い方の経路を回転予測時間の算出対象の移動経路に設定し、当該経路の移動量を、回転予測時間の算出対象の移動量に設定する。短い方の経路が１８０°を経由する場合、治療時間管理装置５０は、長い方の経路を回転予測時間の算出対象の移動経路に設定し、当該経路の移動量を、回転予測時間の算出対象の移動量に設定する。これにより、可動範囲を加味した移動経路の設定及び回転予測時間の算出を行うことができる。
【００３４】
治療時間管理装置５０は、機械起因の作業項目のうちの放射線照射に関する作業時間である照射予測時間を算出することを可能である。例えば、治療時間管理装置５０は、治療計画データから、使用する放射線治療装置の時間当たりの照射可能線量と、治療部位に対する照射予定線量とを抽出する。そして治療時間管理装置５０は、抽出された時間当たりの照射可能線量と照射予定線量とに基づいて照射予測時間を算出する。具体的には、照射可能線量が３００ＭＵ／分であり、照射予定線量が１５０ＭＵである場合、照射予定線量を照射可能線量で除した値、すなわち、１５０／３００＝０．５分＝３０秒である。
【００３５】
治療時間管理装置５０は、機械起因の作業項目として、画像撮影に要する予測時間を算出することも可能である。例えば、画像撮影が２Ｄ撮影である場合、画像撮影に要する予測時間は、回転予測時間と撮影予測時間とに分けられる。画像撮影に関する回転予測時間は、放射線照射に関する回転予測時間と同様に算出可能である。すなわち、まず、治療時間管理装置５０は、治療計画データから、画像撮影に関する架台３１の回転速度と複数の撮影方向の撮影角度と撮影順序とを抽出する。次に、治療時間管理装置５０は、使用する画像撮影装置に対応する回転速度を回転速度テーブル８１から特定する。そして、治療時間管理装置５０は、撮影順序に従い撮影方向間の移動に要する回転予測時間を、撮影方向間の移動量と回転速度とに基づいて算出する。２Ｄ撮影の場合、Ｘ線照射時に架台回転を要しないので、Ｘ線照射時間は予め決められた値が用いられれば良い。
【００３６】
画像撮影が３Ｄ撮影である場合、撮影時間は初期角度への移動に関する回転予測時間とコーンビーム撮影に関する照射予測時間とに分けられる。初期角度への移動に関する回転予測時間は、移動前の架台角度から初期角度への移動量と、回転速度とに基づいて算出可能である。照射予測時間は、撮影角度範囲と回転速度とに基づいて算出可能である。例えば、撮影角度範囲が３６０°であり、回転速度が１０°／ｓｅｃである場合、照射予測時間は、３６０／１０＝３６秒となる。
【００３７】
治療時間管理装置５０は、人起因の作業項目に関する予測時間を作業時間テーブル５２に基づいて算出することも可能である。治療対象の患者の放射線治療に必要な人起因の作業項目及び順番は、放射線治療の種類等に応じて決まる。治療時間管理装置５０は、治療対象の患者の放射線治療に必要な人起因の作業項目を特定し、特定された人起因の作業項目に関連付けられた作業予測時間を作業時間テーブル５２から特定する。
【００３８】
機械起因の作業項目の作業予測時間と人起因の作業項目の作業予測時間とを算出し終えると治療時間管理装置５０は、それら作業予測時間の合計時間を、治療予測時間として算出する。
【００３９】
ステップＳ２が行われると干渉シミュレータ８０は、治療対象の患者に関する治療計画データに従い干渉チェックを実行する（ステップＳ３）。干渉シミュレータ８０は、治療計画データに含まれる照射順序及び撮影順序に従い放射線治療装置３０の各機構、画像撮影装置４０の各機構、患者及び付随装置の動作をシミュレーションし、放射線治療装置３０の各機構、画像撮影装置４０の各機構、患者及び付随装置間で干渉が生じるか否かを判定する。
【００４０】
ステップＳ３が行われると治療時間管理装置５０は、表示制御機能５４を実行する（ステップＳ４）。ステップＳ４において治療時間管理装置５０は、ステップＳ２において算出された治療予測時間とステップＳ３において実行された干渉チェックの結果とを表示機器６０に表示する。
【００４１】
図９は、ステップＳ４において表示される治療予測時間と干渉チェック結果との表示画面Ｉ１の一例を示す図である。図９に示すように、表示画面Ｉ１は、治療対象の患者に関する放射線治療の治療予測時間を表示すると共に、当該放射線治療に関する作業項目を実施順序に従い一覧で表示し、作業項目毎に作業予測時間を表示する。具体的には、表示画面Ｉ１は、治療対象の患者名の下方に作業項目表示欄Ｊ１を表示する。作業項目表示欄Ｊ１には治療対象の患者放射線治療に関する作業項目が実施順序に従い一覧で表示されている。作業項目は階層別に分けて表示されると良い。例えば、最上層の作業項目としては、「入室・着替」、「処方」、「退室・着替」に区分される。処方とは、患者への施術の種類に対応する。作業項目「処方」の下層には、具体的な作業項目が属する。例えば、患者Ａに対しては、まず処方ＡとしてＸ線照射が行われ、次に処方Ｂとして電子線照射が行われる。各作業項目の名称には当該作業項目の種類を示すマークが横に表示される。例えば、図９の■は患者の作業項目を示し、□は放射線診療技師及び医師の作業項目を示し、△は画像撮影の作業項目を示し、▲は放射線照射の作業項目を示す。
【００４２】
図９に示すように、作業項目表示欄Ｊ１の隣には治療予測時間表示欄Ｊ２と作業予測時間表示欄Ｊ３とが設けられる。治療予測時間表示欄Ｊ２には治療予測時間が表示される。治療予測時間は、上述の通り、各作業予測時間の合計時間である。図９の場合、治療予測時間は６２６ｓすなわち１０ｍ２６ｓである。作業予測時間表示欄Ｊ３には各作業項目の作業予測時間が表示される。例えば、１回目の放射線照射の作業予測時間は３６ｓであり、２回目の放射線照射の作業予測時間は２７ｓであり、１回目の照射角度から２回目の照射角度への架台回転の回転予測時間は２１ｓである。なお、「ｃｃ」は反時計回りを指し、「ｃｗ」は時計回りを指す。
【００４３】
このように、治療予測時間と作業項目毎の作業予測時間とが表示されることにより、放射線診療技師等のユーザは、患者が治療室に入室する前に現状の照射順序及び撮影順序での架台回転時間や治療予測時間を知ることができる。このため、ユーザは、効率の良い照射順序を準備することが出来、治療時間の短縮を図ることができる。また、作業項目と作業予測時間とを並列して表示することにより、放射線治療の作業手順が明確になるので、手順の間違いや手戻りを減少させることができる。
【００４４】
図９に示すように、表示画面Ｉ１には干渉チェック結果表示欄Ｊ４が設けられる。干渉チェック結果表示欄Ｊ４には、ステップＳ３において行われた干渉チェックの結果が表示される。例えば、ステップＳ３において干渉のおそれがあると判定され場合、「干渉のおそれがあります」と表示される。この際、作業予測時間表示欄Ｊ３には、干渉が生じうる作業項目に警告マークＪ５が付されると良い。例えば、干渉チェックにおいて正面撮影から側面撮影への架台回転について干渉が生じうると判定された場合、正面撮影から側面撮影への架台回転の作業項目に警告マークＪ５が付される。なお、ステップＳ３において干渉のおそれがないと判定され場合、「干渉のおそれはありません」等と表示される。
【００４５】
ステップＳ４が行われると治療時間管理装置５０は、照射順序及び撮影順序の変更を待機する（ステップＳ５）。
【００４６】
図９に表示される各作業項目は、ユーザによる入力機器７０を介した指示に従い、他の作業項目と入れ替え可能に表示される。すなわち、照射順序及び撮影順序の変更が可能である。例えば、ユーザは、図７や図８に示すように、照射順序が非効率であると判断した場合、図６に示す照射順序になるように照射門の順番を並び替える。並び替えは、例えば、図９に示す表示画面Ｉ１において各作業項目をドラッグ・アンド・ドロップ操作することにより行われると良い。画像撮影が２Ｄ撮影である場合、同様の操作により、撮影角度の順番を変更することができる。
【００４７】
照射順序及び撮影順序の変更が行われた場合（ステップＳ５：ＹＥＳ）、治療時間管理装置５０は、変更後の照射順序及び撮影順序に基づいて回転予測時間等を含む治療予測時間を算出し（ステップＳ２）、干渉チェックを行い（ステップＳ３）、再度の治療予測時間及び干渉チェックの結果を表示し（ステップＳ４）、再び照射順序及び撮影順序の変更を待機する（ステップＳ５）。
【００４８】
このように、治療予測時間と作業項目毎の作業予測時間とを表示したうえで照射順序及び撮影順序の変更を受け付けることにより、放射線診療技師等のユーザは、患者が入室する前に、最適な架台回転時間及び治療予測時間を設定することができる。
【００４９】
ステップＳ５において照射順序及び撮影順序の変更が行われず（ステップＳ５：ＮＯ）、放射線治療情報管理システム２０や放射線治療装置３０等に設けられた治療開始ボタンが押下された場合、放射線治療装置３０及び画像撮影装置４０は、放射線治療を開始する（ステップＳ６）。放射線治療装置３０及び画像撮影装置４０は、治療計画に従い放射線治療を実行する。なお、ステップＳ５において照射順序及び撮影順序が変更された場合、変更後の照射順序及び撮影順序に従い放射線治療が行われる。
【００５０】
放射線治療の実行中、治療時間管理装置５０は、表示制御機能５４を実行する（ステップＳ７）。ステップＳ７において治療時間管理装置５０は、作業項目毎の経過時間及び完了ステータスを表示機器６０に表示する。
【００５１】
図１０は、ステップＳ７において表示される経過時間と完了ステータスとの表示画面Ｉ２の一例を示す図である。図１０に示すように、表示画面Ｉ２は、図９の表示画面Ｉ１と同様、作業項目表示欄Ｊ１、治療予測時間表示欄Ｊ２及び作業予測時間表示欄Ｊ３とが設けられる。作業項目表示欄Ｊ１、治療予測時間表示欄Ｊ２及び作業予測時間表示欄Ｊ３の表示内容は。図９と同様である。
【００５２】
図１０に示すように、作業予測時間表示欄Ｊ３の隣にはインジケータ表示欄Ｊ６が設けられる。インジケータ表示欄Ｊ６には、各作業項目についての経過時間及び実際の作業時間を示すインジケータＪ６１、Ｊ６２及びＪ６３が表示される。インジケータＪ６１、Ｊ６２及びＪ６３の長さは、対応する作業項目の作業予測時間に応じた長さに設定される。作業予測時間が長いほどインジケータＪ６１、Ｊ６２及びＪ６３の横幅が長く設定される。作業項目が未実施である場合、そのインジケータＪ６１は未実施を示す色、例えば、白等で表示されると良い。作業項目が実施中である場合、そのインジケータＪ６２は、例えば、経過時間に応じた色で表示されると良い。例えば、作業予測時間に対しする経過時間の割合が低いほど白く、１に近いほど青く表示されると良い。また、経過時間が作業予測時間を超えている場合、インジケータＪ６３は、例えば、警告色である赤色で表示されると良い。作業項目が完了した場合、そのインジケータは完了を示す色、例えば、青等で表示されると良い。あるいは、インジケータに「完了しました」等のメッセージが表示されても良い。このように、治療時間管理装置５０は、未実施、実施中、実施済みに分けてインジケータＪ６１、Ｊ６２及びＪ６３を表示することにより、作業項目を、未実施、実施中又は実施済みに分けて視覚的に区別して表示する。これにより、ユーザは、各作業項目のステータスを明確に把握することができる。
【００５３】
経過時間は、治療時間管理装置５０の実測時間計測機能５３により計測される。例えば、治療時間管理装置５０は、各作業項目の開始を契機として時間の計測を開始し、各作業項目の終了を契機として計測を終了する。各作業項目の開始及び終了の指示は、放射線治療情報管理システム２０、放射線治療装置３０及び画像撮影装置４０の入力機器等を介してユーザにより入力されても良いし、放射線治療情報管理システム２０、放射線治療装置３０及び画像撮影装置４０により各作業項目に対応する動作の開始及び終了に伴い自動的に発行されても良い。治療時間管理装置５０は、リアルタイムで経過時間を計測し、経過時間に色等でインジケータを表示する。
【００５４】
なお、上記の例においては、経過時間を、インジケータＪ６１、Ｊ６２及びＪ６３の色で表すとした。しかしながら、本実施形態はこれに限定されない。例えば、治療時間管理装置５０は、直接的に数字で表示しても良い。また、全ての作業項目が終了した場合、各作業項目の実測時間の合計時間を算出し、実測治療時間として、治療予測時間に並べて表示しても良い。
【００５５】
図１１は、治療予測時間と実測治療時間とを並列して表示する表示画面Ｉ３の一例を示す図である。図１１に示すように、表示画面Ｉ３は、図９の表示画面Ｉ１と同様、作業項目表示欄Ｊ１、治療予測時間表示欄Ｊ２及び作業予測時間表示欄Ｊ３とが設けられる。作業項目表示欄Ｊ１、治療予測時間表示欄Ｊ２及び作業予測時間表示欄Ｊ３の表示内容は。図９と同様である。治療予測時間表示欄Ｊ２の隣には治療実測時間表示欄J７が設けられ、作業予測時間表示欄Ｊ３の隣には作業実測時間表示欄J８が設けられる。治療実測時間表示欄J７には、各作業項目の作業予測時間に並列して作業実測時間が表示される。上記の通り、作業実測時間と治療実測時間とは、治療時間管理装置５０の実測時間計測機能５３により計測される。例えば、図１０に示すように、作業項目「セットアップ」の作業予測時間は１２０ｓであるのに対して、作業実測時間は１１０ｓである。また、治療予測時間が６２６ｓであるのに対して治療実測時間は６６６ｓである。このような並列表示により、実際に要した時間が予想によりどの程度短いのかあるいは長いのかを容易に判断することができる。
【００５６】
そして治療終了ボタンが押下された場合、放射線治療装置３０及び画像撮影装置４０は、放射線治療を終了する（ステップＳ８）。
【００５７】
以上により、本実施形態に係る放射線治療システムの典型的な処理が終了する。
【００５８】
なお、本実施形態に係る放射線治療システムの処理の流れは図５に示す流れのみに限定されず、種々の変更が可能である。例えば、上記の例においては、ステップＳ３において、治療計画データに含まれる初期の照射順序及び撮影順序に基づき回転予測時間及び治療予測時間を算出するものとした。しかしながら、本実施形態はこれに限定されない。例えば、治療時間管理装置５０は、治療計画データに含まれる複数の照射門及び複数の撮影方向と、回転方向（時計回り及び反時計回り）とに基づき構築される全ての照射順序及び撮影順序のパターン（以下、移動フローと呼ぶ）について回転予測時間及び治療予測時間を算出しても良い。各移動フローの回転予測時間及び治療予測時間が治療時間管理装置５０により表示機器６０に並列して表示される。
【００５９】
図１２は、移動フローを並列して表示する表示画面Ｉ４の一例を示す図である。図１２に示すように、表示画面Ｉ４は、各移動フローｎの表示欄Ｊ９ｎが設けられる。ここで、ｎは移動フローの番号を示す自然数である。各表示欄Ｊ９ｎには、各移動フローｎの作業項目と作業予測時間とが照射順序に一覧で表示されると共に、治療予測時間が表示される。これにより、各移動フローの照射順序や作業予測時間、治療予測時間の違いを容易に把握することが可能となる。また、各移動フローｎについて採用ボタンＢｎが表示される。採用ボタンＢｎが入力機器７０等を介して押下された場合、治療時間管理装置５０は、押下された採用ボタンＢｎに対応する移動フローｎを放射線治療の移動フローとして採用する。これにより、ユーザは、複数の移動フローの中から、照射順序や作業予測時間、治療予測時間の違いを考慮して最良の移動フローを採用することが可能になる。
【００６０】
また、治療時間管理装置５０は、表示画面Ｉ４を表示する前段において、複数の移動フロー各々について干渉チェックを行い、干渉チェックの結果と共に、各移動フローｎの治療予測時間と作業項目と作業予測時間とを表示しても良い。
【００６１】
図１３は、移動フローを並列して表示する他の表示画面Ｉ５の一例を示す図である。図１３に示すように、表示画面Ｉ５は、各移動フローｎの表示欄Ｊ９ｎと採用ボタンＢｎと共に干渉チェック結果表示欄Ｊ１０１及びＪ１０１が設けられる。干渉チェック結果表示欄Ｊ１０１は、干渉のおそれがある旨の結果を示すメッセージを表示する欄である。干渉チェック結果表示欄Ｊ１０２は、干渉のおそれがない旨の結果を示すメッセージを表示する欄である。治療時間管理装置５０は、各移動フローについて干渉チェックを行い、干渉のおそれがあると判定された移動フローについては干渉チェック結果表示欄Ｊ１０１を表示し、干渉のおそれがないと判定された移動フローについては干渉チェック結果表示欄Ｊ１０２を表示する。
【００６２】
なお、干渉チェックの結果の表示態様としては、干渉の有無を示すメッセージの表示のみに限定されない。例えば、治療時間管理装置５０は、干渉の有無を表示欄Ｊ９ｎの色等で表示しても良い。また、治療時間管理装置５０は、干渉のおそれがある移動フローｎに対応する表示欄Ｊ９ｎにマスクをかけたり、点滅させたりしても良い。
【００６３】
架台３１が回転速度を変更できる機構を備えている場合、治療時間管理装置５０は、「架台回転」の作業項目に隣接して「高速」マークＭ１を表示しても良い。「高速」マークＭ１は、放射線治療装置３０に搭載されたブースト（加速）機構を利用して架台３１を高速回転可能であることを示す。治療時間管理装置５０は、「高速」マークＭ１と共に、治療予測時間と作業予測時間と共にブーストボタンを表示する。なお、干渉チェックにより、回転時に架台３１が干渉するおそれがあると判断した場合、又は架台回転の開始角度又は終了角度付近に干渉のおそれのある物体が近いと判断した場合、放射線治療装置３０は、「高速」マークＭ１を表示しない。
【００６４】
図１４は、ブーストボタンと共に作業項目と治療予測時間と作業予測時間とを表示する表示画面Ｉ６を示す図である。図１４に示すように、表示画面Ｉ６は、作業項目表示欄Ｊ１、治療予測時間表示欄Ｊ２及び作業予測時間表示欄Ｊ３共に、ブーストボタンＢ４を表示する。作業項目表示欄Ｊ１、治療予測時間表示欄Ｊ２及び作業予測時間表示欄Ｊ３の表示内容は、図９の表示内容と同一である。ブーストボタンＢ４は、架台回転速度を一段階上げるためのボタンである。ブーストボタンＢ４が押下された場合、治療時間管理装置５０は、一段階上げた後の回転速度に基づいて回転予測速度と治療予測時間とを算出する。そして治療時間管理装置５０は、架台回転速度を一段階上げた後の回転予測速度と治療予測時間とを表示する。
【００６５】
図１５は、架台回転速度を一段階上げた後の回転予測速度と治療予測時間とを表示する表示画面Ｉ７を示す図である。図１５に示すように、作業予測時間表示欄Ｊ１２には、架台回転速度を一段階上げた後の回転予測時間が表示され、治療予測時間表示欄Ｊ１１には、
架台回転速度を一段階上げた後の治療予測時間が表示される。例えば、図１４と図１５とを比較すると、架台回転ｃｗが２８ｓから１４ｓに短縮されていることが分かる。また、架台回転速度が最高速度である場合、図１５に示すように、ブーストボタンＢ４には押下不可のマークが付されると良い。
【００６６】
放射線治療情報管理システム２０等は、当該放射線治療情報管理システム２０が設置された病院の治療スケジュールを管理している場合もある。治療スケジュールは、各治療室で行われる放射線治療の時間割である。しかしながら、治療スケジュールに含まれる各放射線治療の治療時間は、放射線診療技師等の医療従事者が大雑把に決めており、正確ではないことがある。
【００６７】
本実施形態に係る治療時間管理装置５０は、治療スケジュール修正機能５６を実行し、治療スケジュールに含まれる各放射線治療の治療時間を、治療時間算出機能５１により算出された治療対象の患者に関する治療予測時間に基づいて修正する。具体的には、治療時間管理装置５０は、まず、放射線治療情報管理システム２０から治療スケジュールを取得する。次に治療時間管理装置５０は、治療予測時間の算出対象である患者の放射線治療の日程を、取得した治療スケジュールから特定する。そして治療時間管理装置５０は、特定された放射線治療の治療時間を、治療時間算出機能５１により算出された治療予測時間で上書きする。これにより、治療スケジュールに登録されている治療時間をより正確な時間にすることができる。
【００６８】
上記の説明の通り、本実施形態に係る放射線治療システムは、治療計画装置１０、放射線治療装置３０、治療時間管理装置５０及び表示機器６０を有する。治療計画装置１０は、治療対象の患者に関する治療計画データを生成する。放射線治療装置３０は、治療用放射線を照射する照射ヘッド部３１２を回転可能に支持する架台３１を有する。治療時間管理装置５０は、架台３１の回転速度と、治療計画データに含まれる複数の照射門の照射角度とに基づいて、当該複数の照射門間の移動に要する架台３１の回転予測時間を算出する。治療時間管理装置５０は、架台３１の回転予測時間を表示機器６０に表示する。
【００６９】
かくして、上記少なくとも一の実施形態によれば、放射線治療実行前に放射線診療技師等に対して正確な治療時間を提示することが可能となる。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００７１】
１０…治療計画装置、２０…放射線治療情報管理システム、２１…治療計画データベース、３０…放射線治療装置、３１…架台、３２…寝台、４０…画像撮影装置、４１…Ｘ線管、４２…Ｘ線検出器、５０…治療時間管理装置、５１…治療時間算出機能、５２…作業時間テーブル、５３…実測時間計測機能、５４…表示制御機能、５５…選択機能、５６…治療スケジュール修正機能、６０…表示機器、７０…入力機器、８０…干渉シミュレータ、８１…回転速度テーブル、３１１…架台本体、３１２…照射ヘッド部、３２２…天板、３３１…基台。
【図１】
2019004923.tif 000003
【図２】
2019004923.tif 000004
【図３】
2019004923.tif 000005
【図４】
2019004923.tif 000006
【図５】
2019004923.tif 000007
【図６】
2019004923.tif 000008
【図７】
2019004923.tif 000009
【図８】
2019004923.tif 000010
【図９】
2019004923.tif 000011
【図１０】
2019004923.tif 000012
【図１１】
2019004923.tif 000013
【図１２】
2019004923.tif 000014
【図１３】
2019004923.tif 000015
【図１４】
2019004923.tif 000016
【図１５】
2019004923.tif 000017